(57)【要約】【課題】従来の空調装置は室外空調ユニットと圧縮機ユニットと室内空調ユニットが一体または圧縮機ユニットと室外空調ユニットが一体で狭い場所に空調装置を置くのにかさばって不都合なことが多かった。また空調装置に冷水または温水を取り出す装置はあっても冷水、温水の両方を取り出す装置は考えられていなかった。【解決手段】室外空調ユニットと圧縮機ユニットと室内空調ユニットをそれぞれ独立に配置して狭い場所でも空調装置を取り付けることが可能となった。また室外空調ユニット、室内空調ユニットにそれぞれ液体槽を取り付け可能で、しかも三方弁又は二方弁を切り換えて冷房時も、暖房時も液体槽の位置を変えずに冷水または温水を取り出すことが可能となった。【選択図】図１
2010007880.tif 000002
【特許請求の範囲】
【請求項１】
室外に設置され、第１の熱交換器と、第１の送風機とを第１の枠体に装備させて一体化した室外空調ユニットと、室内に設置され、第１の熱交換器と略同一特性を有する第２の熱交換器と、第２送風機とを第２の枠体に装備させて一体化した室内空調ユニットと、室外で前記室外空調ユニットとは分離されて設置され、前記室内空調ユニット及び前記室外空調ユニットとのそれぞれに空調媒体結合する圧縮機を備えた圧縮機ユニットと、冷房と暖房とを切り換える冷暖房切換スイッチと、該切換スイッチの切換によって空調媒体の流れ方向を切り換える第１の切換弁と、前記室内空調ユニットと前記室外空調ユニットの間に配置された絞りユニットと、前記圧縮機ユニットと第１の切換弁と前記室外空調ユニットと前記絞りユニットと前記室内空調ユニットと前記室内空調ユニットの間に配置されてそれらを空調媒体結合させる媒体配管と、第１の送風機、第２の送風機と、前記圧縮機とにそれぞれ駆動電力を供給する電源装置または外部に配された電源と接続する接続部とを備えた空調装置。
【請求項２】
さらに、前記圧縮機ユニットと室外空調ユニットとの間に膨張弁を設けた請求項１に記載の空調装置。
【請求項３】
前記絞りユニットは前記室内空調ユニットに取り付けられている請求項１に記載の空調装置。
【請求項４】
前記絞りユニットは毛細管からなるキャピラリである請求項１に記載の空調装置。
【請求項５】
第１の切換弁は四方弁である請求項１に記載の空調装置。
【請求項６】
前記室内空調ユニットまたはその近傍に温度センサを配し、該温度センサの出力を基に前記圧縮ユニットの駆動を制御する制御手段を備えた空調ユニット。
【請求項７】
請求項１乃至は６に記載の空調ユニットに接続する温水及び冷水供給システムで、第１の熱交換器と媒体配管を介して結合した第３の熱交換器が浸された液体を収容した第１の液体槽と、第２の熱交換器と媒体配管を介して結合した第４の熱交換器が浸された液体を収容した第２の液体槽とを備え、第３及び第４の熱交換器はそれぞれ前記圧縮機に媒体結合する媒体配管を接続した温水及び冷水供給システム。
【請求項８】
前記冷暖房切換スイッチにより切換わる第２及び第３の切換弁を備え、第２の切換弁の第１のポートは第１の熱交換器と、第２のポートは第３の熱交換器に接続される媒体配管と、第３のポートは第４の熱交換器と接続される媒体配管と接続し、第３の切換弁の第１のポートは第２の熱交換器と、第２のポートは第３の熱交換器と接続される媒体配管と、第３のポートは第３の熱交換器と接続される媒体配管と接続した請求項７に記載の温水及び冷水供給システム。
【請求項９】
請求項１乃至は６に記載の空調ユニットに接続する温水及び冷水供給システムで、第１の液体槽に配された第１の温度センサと、第２の液体槽に配された第２の温度センサと、第１の切換弁と第３の熱交換器の間に配された第４の切換弁と、第２の切換弁と第４の熱交換器の間に配された第５の三方弁とを備え、第１及び第２の温度センサの出力に基づいて第４及び第５の切換弁をそれぞれ切り換えるよう制御手段を備えた請求項８に記載の温水及び冷水供給システム。
【請求項１０】
第２、３、４、５の切換弁は三方弁または二方弁の組み合わせからなる請求項７〜９に記載の温水及び冷水供給システム。
【発明の詳細な説明】
【技術分野】
【０００１】
本発明は、空調装置及びそれを利用したに関する温水及び冷水供給システムに関する。
【背景技術】
【０００２】
船舶、車両、キャンプのテント等の室内は、夏季になると温度が上昇するので冷房装置が必要になってくる。例えば特許文献１のように、図１４に示すように室内空調ユニット１０１と室外空調ユニット１０２とが分離された空調装置で、室外空調ユニット１０２は室外熱交換器１０３と圧縮機１０４と室外制御回路１０５で構成されている。室外熱交換器１０３と圧縮機１０４が一つのユニットに構成されている室外の熱交換器と圧縮機と室外制御回路を一つの枠で収容して室外空調ユニットとし、室内熱交換器と室内制御回路をもう一つの枠で収容して室内空調ユニットとして室内に配置していることは知られている。
【０００３】
また、特許文献２では図１５に示すように圧縮機１１１、四方弁１１２、空冷室外熱交換器１１４および室内熱交換器１３０ａ、１３０ｂを順次接続した冷媒回路を備えた空気調和装置で、冷房運転時に、圧縮機１１１から吐出された冷媒が、四方弁１１２、冷媒対水熱交換器、空冷室外熱交換器１１３の順番に流れるように、冷媒回路に冷媒対水熱交換器１１３を配置し、この冷媒対水熱交換器１１３で冷媒と熱交換させることにより、冷房運転時に冷房運転時には温水を、暖房運転時には冷水を取り出すようになっている。
【０００４】
【特許文献１】特開昭５７−１４８１３０号公報
【特許文献２】特開２００６−２４２５２４号公報
【発明の開示】
【発明が解決しようとする課題】
【０００５】
しかしながら、特許文献１では、室外熱交換器１０３と圧縮機１０４が一つのユニットに構成されているのでそれぞれ単独に構成されているものに比べて大きくなるので例えば船のような狭い箇所に搭載する場合に他の機械等に対して邪魔になり、また運送の際にも小分けすることができずかさばって邪魔になる可能性もある。
【０００６】
特許文献２は図１５に示すように冷房運転時に、圧縮機１１１から吐出された冷媒が、四方弁１１２、冷媒対水熱交換器、空冷室外熱交換器１１３の順番に流れるように、冷媒回路に冷媒対水熱交換器１１３を配置し、この冷媒対水熱交換器１１３で冷媒と熱交換させることにより、冷房運転時に冷房運転時には温水を、暖房運転時には冷水を取り出すようになっている。しかしながら冷房運転時に冷水をとることができず、暖房運転時に温水を取ることが出来ない。従って本実施例の空調装置を船舶に設置した場合、夏季に冷房運転時に冷水をとることができないので釣り上げた魚を岸に戻るまで冷水で魚を生かすことができない。また冬季に暖房運転時は風呂に入りたい場合に温水をとることができないで冷水しか取ることがとれないので岸に戻るまで風呂で体を気持ちよく洗うことが出来ない問題点がある。
【課題を解決するための手段】
【０００７】
上記目的を達成するために、本発明の請求項１から請求項６は、室外熱交換器ユニット、室内熱交換器ユニット及び圧縮機ユニットをそれぞれ単独に配置した空調装置を提供するものであり、請求項１から請求項５はその構成に関するものであり、室外熱交換器ユニット、室外熱交換器ユニット及び圧縮ユニットをそれぞれ独立に配置した構造であるので空調装置を適宜分散して配置することができる。請求項６は空調の室内の温度制御に関するものである。
【０００８】
請求項７は、前記空調装置の室外熱交換器と室内熱交換器にそれぞれ熱交換器に接続し、該熱交換器を液体槽に配し、液体槽に収容された液体の温度を調整する温水及び冷水供給システムを提供するものである。
【０００９】
請求項８は、冷房運転又は暖房運転の切換に連動して切り換わる切換弁の動作によって、室外、室内のそれぞれの熱交換器が冷房用、暖房用に切り換わっても室外、室内の熱交換器に続くそれぞれの液体槽は、どの状態でも冷水用は冷水用のままで、温水用は温水用のままである温水及び冷水供給システムを提供するものである。
【００１０】
請求項９は、冷房運転または暖房運転の動作の切換と同時に切換弁を切り換えることによりどの運転状態でも液体槽の液体の温度をその液体に適した温度に調整できる温水及び冷水供給システムを提供するものである。
【００１１】
請求項１０は、冷房運転または暖房運転の動作の切換に連動して切り換わる切換弁を三方弁または二方弁の組み合わせからなる温水及び冷水供給システムを提供するものである。
【発明の効果】
【００１２】
上述したように本発明の空調装置は室外熱交換器ユニット、室内熱交換器ユニット及び圧縮機ユニットがそれぞれ独立して配置してあるので、船舶に配置する場合、また運送する場合には上記二つのユニットを一体化する場合に比べてそれぞれのユニットを分散して配置することができる。また、圧縮機ユニットを室外に配置することができるので室内を静寂に出来る効果を有する。
【００１３】
また、室内熱交換器ユニット及び室外熱交換器ユニットの冷房による冷気または暖房による暖気を利用して冷水または温水を作ることができる。
【発明を実施するための最良の形態】
【００１４】
以下、本発明の実施の形態を図１〜図１３に基づいて説明する。
【００１５】
図１は本発明の第１の実施例を示す概念図である。
１は室外空調ユニット、２は室内空調ユニット、３は圧縮機ユニット、４は電源ユニットである。
【００１６】
５は第１の熱交換器、６は第１の送風機であり、これらで室外空調ユニット１を構成する。７は第２の熱交換器、８は第２の送風機、９は膨張弁であり、１０が絞りであり、これらで室内空調ユニットを構成する。
【００１７】
１１は電線で電源ユニット４から第１の送風機６、第２の送風機８及び圧縮ユニットに配された１２で示す圧縮機に給電する。
【００１８】
１３は圧縮ユニット３に配された電磁的に作動する四方弁を、１４は冷媒が流れる媒体配管を、１５は制御装置、１６は温度センサ、１７は冷暖房切換スイッチを示す。
【００１９】
次に図１の作動を説明する。
冷房モードと暖房モードに切り換える冷暖房切換スイッチ１７を操作すると四方弁１３は図の実線または破線の状態になる。冷房モードに設定すると、四方弁１３の作動は電磁的に実線のように切り換えられる。圧縮機１２のポートＡから冷媒は気体から高温、高圧の半液体になり実線のように流れる。膨張弁９を通過すると高温、高圧の半液体がやや低圧に変化した半液体になる。やや低圧に変化した高温の半液体が室内空調ユニット１の熱交換器５を通過すると送風機６により暖風が外に出る。やや低圧に変化した高温の半液体は送風機により温度が下げられた液体になり、室内空調ユニット２に設けられた絞りユニット１０、例えば毛細管のようなキャピラリ１０を通過すると温度が低下した気体になって熱交換器７を通過すると送風機８により冷気が室内に出される。低温の気体の冷媒は四方弁１３を介して圧縮機１２のポートＢに戻り、冷媒がまた圧縮されて高温、高圧の半液体に変化し、上述の作動を繰り返す。
【００２０】
室内空調ユニット２に配された温度センサ１６の出力により、制御装置１５で室内の温度が予め設定した温度よりも低くなるとその信号が圧縮機１２ポートＣに入力され圧縮機の駆動を停止し、また室内の温度が予め設定した温度よりも高くなると圧縮機１２の駆動を再開するよう制御する。
【００２１】
次に不図示の切換スイッチを暖房モードに切り換えると、四方弁１３は破線のように切り換えられ、高温、高圧の半液体の冷媒がポートＡより破線の矢印方向に流れ、室内空調ユニット２の第２の熱交換器７に入る。送風機８により暖気が室内に入り、室内が暖房される。高温、高圧の半液体の冷媒は第２の熱交換器を通過すると低温、高圧の液体の冷媒に変化する。低温、高圧の液体の冷媒が絞りユニット１０を通過すると低温、低圧の気体の冷媒に変化し、室外空調ユニット１の第１の熱交換器５を通過すると冷気が外に出される。低温、低圧の気体の冷媒は膨張弁９を介してポートＢに戻る。
【００２２】
図２は室外空調ユニット１の第１の熱交換器５を示す。第１の熱交換器５には複数個並んだパイプＸをＹで示すＵ字状のパイプで接続し、第１の熱交換器５で冷媒が入れられる入口から出口まで一本のパイプ状に形成されている。冷媒が通る一本のパイプが空気の出口に対して複数のパイプが通ることになり、面積的にも開口をカバーし、送風機から冷気または暖気を送って冷房効果または暖房効果を増す。室内空調ユニット２の第２の熱交換器７も図２と同じである。
【００２３】
図３は、図１の空調装置から出される熱を利用して温水に、また冷房の冷気を利用して水槽に入れて魚の生簀に利用したものである。媒体配管１４で第１の熱交換器５から第１の液体槽１８の中の第１の液体２０に浸された第３の熱交換器１９までの媒体配管を１４Ａ、１４Ｖ、１４Ｂに分割し、第２の熱交換器７から第２の液体槽２１の第２の液体２２に浸された第４の熱交換器２２までの媒体配管を１４Ｃ、１４Ｗ、１４Ｄに分割する。さらに左右の媒体配管を横切る媒体配管１４Ｘ、１４Ｙを用意する。室内を冷房モードにする時に図１と同様に熱交換器５から第３の熱交換器１８までの媒体配管１４Ａ、１４Ｖ、１４Ｂを接続し、熱交換器１８から第１の熱交換器５まで冷媒が流れるようにする。また、第２の熱交換器７から第４の熱交換器２２までの媒体配管１４Ｃ、１４Ｗ、１４Ｄを接続し、第２の熱交換器７から第４の熱交換器２２まで冷媒が流れるようにする。また第３の熱交換器１９から膨張弁９の間は媒体配管１４Ｅを、膨張弁９と四方弁１３の間は媒体配管１４Ｆを、四方弁１３と圧縮機１２のポートＡの間は媒体配管１４Ｇを接続する。また圧縮機１２のポートＢと熱交換器２２の間は媒体配管１４Ｈを接続する。また、第１の熱交換器５と室内空調ユニット２にある絞りユニット１０、例えばキャピラリの間の媒体配管１４Ｋを接続し、絞りユニット１０と熱交換器７の間は媒体配管１４Ｌを接続する。
【００２４】
室内を冷房モードにすると、圧縮機１２のポートＡから高温で半液体の高圧の冷媒が媒体配管１４Ｇ、四方弁１３、媒体配管１４Ｆを介して流れ、膨張弁９を通って高温で圧力がやや下げられて媒体配管１４Ｅを介して熱交換器１８を通る。第３の熱交換器１８により第１の液体槽１８に入っている第１の液体２０は暖められる。高温でやや高圧の冷媒は媒体配管１４Ｂ、１４Ｖ、１４Ａを通って熱交換器５に導かれる。暖かい空気が送風機６の作動により外に出される。送風機６によってやや温度が下げられ液化が進んだ冷媒は媒体配管１４Ｋを通り、絞りユニット１０、媒体配管１４Ｌを通って冷媒は低温で気体になる。送風機８により冷気が室内に出て室内は冷房される。冷媒は媒体配管１４Ｃ、１４Ｗ、１４Ｄを通って第４の熱交換器２３に導かれ、第２の液体槽２２に入っている第２の液体２２は冷やされる。そして冷媒は媒体配管１４Ｊ、四方弁１３、媒体配管１４Ｈを通って圧縮機１２のポートＢに戻される。
【００２５】
次に室内を、冷暖房切換スイッチ１７を操作して冷房モードから暖房モードにすると、冷媒が外にこぼれないように各媒体配管の端部を密封し、媒体配管１４Ａと媒体配管１４Ｂの間に配された媒体配管１４Ｖを取り外し、その代わりに媒体配管１４Ｘを媒体配管１４Ａと媒体配管１４Ｄの間をつなぐようにする。また媒体配管１４Ｃと媒体配管１４Ｄの媒体配管１４Ｗを取り外し、媒体配管１４Ｙを媒体配管１４Ｃと媒体配管１４Ｂの間に接続する。図３では、取り外す媒体配管１４Ｖ、１４Ｗを破線で×印で示している。また四方弁１３は図３に示すとおり暖房モードのときも冷房モードの状態と同じ状態にする。
【００２６】
室内を、冷暖房切換スイッチ１７を操作して暖房モードにした時の作動は以下の通りである。
圧縮機１２から高熱で半液体の冷媒が冷房モードと同じように膨張弁９を介して第３の熱交換器１９を通る。そこで冷房モードと同じように第１の液体槽１８の中の第１の液体１９は温められる。冷媒は媒体配管１４Ｂを通り、媒体配管１４Ｙを通って媒体配管１４Ｃを通り熱交換器７に導かれる。高熱の冷媒は送風機８により熱交換器から暖気が室内に出て室内を暖房する。高熱であった冷媒は送風機８により冷やされて絞りユニット１０、例えばキャピラリを通ることにより圧力が下げられ、第１の熱交換器５に導かれる。送風機６により第１の熱交換器５から冷気が外に出される。また送風機６により出された冷たくなった冷媒は媒体配管１４Ｘを通って媒体配管１４Ｄを通って第４の熱交換器２３に導かれ、第２の液体槽２１に入れられた第２の液体２２は冷やされる。冷媒は媒体配管１４Ｊ、１４Ｈを通って圧縮機１２に戻される。
【００２７】
第２の液体槽２１には媒体配管２４を液体２１で浸した部分は２５で示すように第３の熱交換器２３と同じような形状にしている。２６は第３の液体槽を示し、第４の液体２７が収容され、第４の液体２７の温度を測定する温度センサ２８が配されている。第４の液体槽２６の第４の液体２７は制御回路２９により駆動されるポンプ３０より冷水が液体槽２１より汲み上げられて所定の温度になるように制御される。
【００２８】
図４は媒体配管１４Ｄと接続された第４の熱交換器２３を示し、第４の熱交換器２３はパイプ状に形成されている。また、海の魚を第３の液体２７の中に入れて生かすためには第４の液体２７は塩水で第３の熱交換器２３が錆びないようにチタン、ステレンス等の防錆材で作られており、第４の液体槽２６は魚を生かす生簀として用いられる。
【００２９】
図３で液体槽１にある第３の熱交換器１８は、液体が塩水でなければ図２示すような熱交換器でも図４に示すような熱交換器でもよいし、チタンやステンレスような防錆材でなくてもよい。
【００３０】
図３で冷暖房切換スイッチ１７の操作により冷房モードから暖房モードに切り換えたときに媒体配管を取り外してあらたな媒体配管を接続したが、図５では電磁式の三方弁を使って切り換えるものである。
【００３１】
図５は、第１の熱交換器５から媒体配管１４Ａを介して４０で示す三方弁に接続し、第２の熱交換器７から媒体配管１４Ｃを介して５０で示す三方弁に接続する。三方弁４０の第１のポートは熱交換器５に、第２のポートは媒体配管１４Ｖに、第３のポートは１４Ｘに接続し、三方弁５０の第１のポートは熱交換器７に、第２のポートは媒体配管１４Ｙに接続し、第３のポートは１４Ｗに接続する。１５Ｂは室内の冷房モード設定と暖房モード設定に切り換える制御装置を示し、冷房モード設定時には三方弁４０、５０を実線側に、すなわち、冷媒が媒体配管１４Ｖから熱交換器５に流れ、熱交換器７から媒体配管１４Ｗに流れる。暖房モード設定時には三方弁４０、５０を破線側に切り換える。すなわち冷媒が媒体配管１４Ｙから媒体配管１４Ａを介して熱交換器７に流れ、熱交換器５から媒体配管１４Ｃを介して媒体配管１４Ｙに流れる。三方弁は電磁式であり、不図示の操作パネルにある冷暖房切換スイッチ１７の作動により制御装置１５Ｂより信号が出力し、電磁的に切り換えられる。作動に関して図３では媒体配管を手動で交換していたところを電磁的に切り換えたものである。
【００３２】
図６は第１の液体槽１８、第２の液体槽２１にそれぞれ温度センサ１８Ｓ、２１Ｓを配し、温度センサの出力を検知して三方弁６０、７０を切換ながら冷媒を第１の液体槽１８、第２の液体槽２１にある第３の熱交換器１９、第４の熱交換器２３に流したり、流さなかったりしてそれぞれの液体の温度を調整する例を示し、詳細は図８、図９のフローチャートで説明する。
【００３３】
図６では三方弁４０の第１のポートは熱交換器５に、第２のポートは媒体配管１４Ｖ、１４Ｖ１を介して三方弁６０の第１のポートと接続する。三方弁６０の第２のポートを媒体配管１４Ｂを介して熱交換器１９に接続する。また三方弁５０の第１ポートは熱交換器７に第２のポートは媒体配管１４Ｙと、第３のポートは媒体配管１４Ｗ、１４Ｗ１を介して三方弁７０の第１のポートと接続する。
【００３４】
図５、図６で三方弁を用いているが、図７では図６の三方弁の代わりに二方弁を設けた例である。
【００３５】
図６における三方弁４０の第２のポートに相当するところに二方弁８０、第３のポートに相当するところに二方弁８１、三方弁５０の第２のポートに相当するところに二方弁８２、第３のポートに相当するところに二方弁８３、三方弁６０の第２のポートに相当するところに二方弁８４、第３のポートに相当するところに二方弁８５、三方弁７０の第２のポートに相当するところに二方弁８６、第３のポートに相当するところに二方弁８７を配置する。冷暖房切換スイッチ１７の作動で冷房モードに設定されたときは二方弁８０、８１は、８２、８３は冷暖房切換スイッチの作動で切り換えられる。上述の二方弁は冷暖房切換スイッチ１７の作動、温度センサ１８Ｓ、２１Ｓの出力で制御装置１５Ｂからの信号により電磁的に切り換えられる。
【００３６】
図８、９は本発明の第４実施例における温水、冷水用の作動のフローチャートを示す。
図８は、温水用の作動を示すフローチャートを示す。
Ｓ１で不図示の電源スイッチをオンすると、Ｓ３で制御装置１５Ｂが起動し、温度センサ１８Ｓで第１の液体２０の水温を測定すると第１の所定温度以下の場合は、Ｓ５で示すように三方弁６０を実線側にし、冷媒が第１の液体槽１８の第１の液体２０の中を第３の熱交換器１９の中を通るように設定する。Ｓ６で水温が上がって第１の所定温度より高くなったかどうかを判定し、第１の所定温度より高いと判定すると、Ｓ７のように三方弁６０を破線側にする。電源スイッチをオンしたときに水温を測定し水温が、第１の所定温度より高い場合は三方弁６０を破線側にし、媒体配管の冷媒が第１の液体槽１８の第１の液体２０を通過しない。Ｓ８に示すように第１の液体２０の水温が下がってきて水温が第１の所定温度より低い第２の所定温度以下になったかどうかを判定し、第２の所定温度以下になったら冷媒を第３の熱交換器に流して液体の温度を上げるように制御する。電源スイッチを切るとＳ２のように温度制御は不作動となる。
【００３７】
図９は冷水用作動のフローチャートを示す。
Ｓ１１で不図示の電源スイッチをオンすると、Ｓ１３で制御装置１５Ｂが起動し、第２の液体槽の第２の液体の温度を検知する温度センサ２１Ｓで水温を測定すると第３の所定温度以上の場合は、Ｓ１５で示すように三方弁７０を実線側にし、媒体配管の冷媒が第２の液体槽２１内の熱交換器２３の中を通るように設定する。Ｓ１６で水温が下がって第３の所定温度より低くなったかどうかを判定し、第３の所定温度より低いと判定すると、Ｓ１７のように三方弁７０を破線側にし、冷媒が熱交換器２３Ｓの中を通らないように設定する。不図示の電源スイッチをオンしたときに水温を測定し水温が、第３の所定温度より低い場合は三方弁６０を破線側にし、媒体配管の冷媒が液体槽２０を通らないでバイパスする。Ｓ１８に示すように水温が上がってきて水温が第３の所定温度より高い第４の所定温度以上になったかどうかを判定し、第４の所定温度以上になったら冷媒を第４の熱交換器に流して第２の液体２２の温度を下げるように制御する。電源スイッチを切るとＳ１２のように温度制御は不作動となる。
【００３８】
図８、９のフローチャートでは三方弁を用いて説明を行なった。二方弁を使用したとき、図６の三方弁６０の代わりに図７では二方弁８４、８５を、三方弁７０の代わりに二方弁８６、８７に置き換える。図８のフローチャートで「三方弁６０を実線側にセット」を「二方弁８４を作動、８５を不作動」、「三方弁６０を破線側にセット」を「二方弁８５を作動、二方弁８４を不作動」に置き換える。図９のフローチャートで、「三方弁７０を実線側にセット」を「二方弁８７を作動、二方弁８６を不作動」、「三方弁７０を破線側にセット」を「二方弁８６を作動、二方弁８７を不作動」に置き換える。
【００３９】
図１０、図１１は本発明の空調装置及びそれを利用した温水及び冷水供給システムを船舶に装着した例を示す、室内空調ユニットを室内に、室外空調ユニットと圧縮機を室外に配し、図１０はその上面図であり、図１１は下面図を示す。
【００４０】
圧縮機を室外に配して騒音を少なくした例である。船舶の甲板９１に室外空調ユニット１と、圧縮機ユニット３を配し、船室９２の内部に室内空調ユニット２を配する。甲板９１から下がった位置に第１の液体槽１８と第２の液体槽２１を配する。圧縮機ユニット３と、室外空調ユニット１内の第1の熱交換器５（不図示）、室内空調ユニット２内の第２の熱交換器７（不図示）とは媒体配管１４で接続されている。室外空調ユニット内の第１の熱交換器５（不図示）と第１の液体槽１８内の第３の熱交換器１９も同じく不図示であるが三方弁４０、６０を介して媒体配管１４で接続されている。室内空調ユニット内の第２の熱交換器７（不図示）は三方弁５０、７０を介して第４の熱交換器２３を介して媒体配管１４で接続されている。
【００４１】
図１２、図１３は本発明の空調装置及びそれを利用した温水及び冷水供給システムをキャンプ場で用いた例を示す。室内空調ユニットをテント９３の内側に、室外空調ユニットと圧縮機ユニット３をテント９３の外に配し、図１２はテント９３を外した状態の上面図であり、図１３は立面図を示す。圧縮機ユニット３を室外に配して騒音を少なくした例である。
【００４２】
特許請求の範囲の請求項１０で述べた「二方弁の組み合わせ」は図７における「二方弁８０と二方弁８１の組み合わせ」を、「二方弁８２と二方弁８３の組み合わせ」を、「二方弁８４と二方弁８５の組み合わせ」を「二方弁８６と二方弁８７の組み合わせ」を指すものであり、図６の三方弁の働きの代わりをするものである。
【図面の簡単な説明】
【００４３】
【図１】本発明の第１の実施例を示す概念図
【図２】第１、第２の熱交換器
【図３】本発明の第２の実施例を示す概念図
【図４】第４の熱交換器
【図５】本発明の第３の実施例を示す概念図
【図６】本発明の第４の実施例を示す概念図
【図７】第４の実施例で用いた三方弁の代わりに二方弁を用いた第５の実施例
【図８】本発明の第４、５の実施例の温水用作動の流れを示すフローチャート
【図９】本発明の第４、５の実施例の冷水用作動の流れを示すフローチャート
【図１０】本発明の空調装置及びそれを利用した温水及び冷水供給システムを船舶に搭載した上面図
【図１１】本発明の空調装置及びそれを利用した温水及び冷水供給システムを船舶に搭載した立面図
【図１２】本発明の空調装置及びそれを利用した温水及び冷水供給システムをキャンプ場で配置した上面図
【図１３】本発明の空調装置及びそれを利用した温水及び冷水供給システムをキャンプ場で配置した立面図
【図１４】先行文献１を示す。
【図１５】先行文献２を示す。
【符号の説明】
【００４４】
１      室外空調ユニット
２      室内空調ユニット
３      圧縮機ユニット
４      電源ユニット
５      第１の熱交換器
６      第１の送風機
７      第２の熱交換器
８      第２の送風機
９      膨張弁
１０    絞り
１１    電線
１２    圧縮機
１３    四方弁
１４    媒体配管
１５、１５Ａ、１５Ｂ    制御装置
１６    温度センサ
１７    冷暖房切換スイッチ
１８    第１の液体槽
１９    第３の熱交換器
２０    第１の液体
２１    第２の液体槽
２２    第２の液体
２３    第４の熱交換器
２４    媒体配管
２５    媒体配管の一部
２６    第３の液体槽
２７    第３の液体
２８    温度センサ
２９    ポンプ制御装置
３０    ポンプ
４０    第１の三方弁
５０    第２の三方弁
６０    第３の三方弁
７０    第４の三方弁
８０〜８７    二方弁    
９１    甲板
９２    船室
９３    テント
【図１】
2010007880.tif 000003
【図２】
2010007880.tif 000004
【図３】
2010007880.tif 000005
【図４】
2010007880.tif 000006
【図５】
2010007880.tif 000007
【図６】
2010007880.tif 000008
【図７】
2010007880.tif 000009
【図８】
2010007880.tif 000010
【図９】
2010007880.tif 000011
【図１０】
2010007880.tif 000012
【図１１】
2010007880.tif 000013
【図１２】
2010007880.tif 000014
【図１３】
2010007880.tif 000015
【図１４】
2010007880.tif 000016
【図１５】
2010007880.tif 000017